(57)【要約】【課題】使用者の注意を喚起してシャッターを閉じるよう促して、次回使用時にシャッターを閉じ忘れた状態のまま使用されるのを防止できる電気かみそりを提供する。【解決手段】かみそりヘッド２に可動刃７・５５と固定刃８・５６が配置してある電気かみそりに関するものである。かみそりヘッド２の周囲壁に、ヘッド内部に設けた毛屑室Ｒに連通する洗浄水窓２８と、同窓２８をスライド移動して開閉するシャッター２９が設けられている。シャッター２９を閉じた状態においては、シャッター２９の開放移動する側の一部が、シャッター２９以外のかみそりヘッド２の一部で覆われており、シャッター２９を開放姿勢に切換えた状態においては、シャッター２９の上記一部が自由空間に露出する。【選択図】図６
2018011709.tif 000002
【特許請求の範囲】
【請求項１】
かみそりヘッド（２）に可動刃（７・５５）と固定刃（８・５６）が配置してある電気かみそりであって、
かみそりヘッド（２）の周囲壁に、ヘッド内部に設けた毛屑室（Ｒ）に連通する洗浄水窓（２８）と、同窓（２８）をスライド移動して開閉するシャッター（２９）が設けられており、
シャッター（２９）を閉じた状態においては、シャッター（２９）の開放移動する側の一部が、シャッター（２９）以外のかみそりヘッド（２）の一部で覆われており、シャッター（２９）を開放姿勢に切換えた状態においては、シャッター（２９）の上記一部が自由空間に露出することを特徴とする電気かみそり。
【請求項２】
シャッター（２９）を閉じた状態においては、シャッター（２９）の上記一部がかみそりヘッド（２）の外郭線内に位置しており、シャッター（２９）を開放姿勢に切換えた状態においては、シャッター（２９）の上記一部がかみそりヘッド（２）の外郭線の外へ突出することを特徴とする請求項１に記載の電気かみそり。
【請求項３】
固定刃（８・５６）は固定刃ホルダー（１８）で保持されており、
かみそりヘッド（２）は固定刃ホルダー（１８）を含み、
固定刃ホルダー（１８）の周囲壁に、ホルダー内部に設けた毛屑室（Ｒ）に連通する洗浄水窓（２８）と、同窓（２８）をスライド移動して開閉するシャッター（２９）とが設けられていることを特徴とする請求項１または２に記載の電気かみそり。
【請求項４】
シャッター（２９）の上記一部の後面にリブ体（３５）が後向きに突出しており、
シャッター（２９）と固定刃ホルダー（１８）との間に隙間（Ｓ）が形成されており、
リブ体（３５）はシャッター（２９）と協同して隙間（Ｓ）の開口部（Ｓ１）を塞いでいることを特徴とする請求項３に記載の電気かみそり。
【請求項５】
シャッター（２９）を閉じた状態においては、リブ体（３５）の後端が固定刃ホルダー（１８）に凹み形成した段部（３６）で受け止められていることを特徴とする請求項４に記載の電気かみそり。
【請求項６】
シャッター（２９）を閉じた状態で位置保持できるとともに開放姿勢とした状態でも位置保持できる節度構造（７０）を備えており、
節度構造（７０）を隙間（Ｓ）に配設したことを特徴する請求項４または５に記載の電気かみそり。
【発明の詳細な説明】
【技術分野】
【０００１】
本発明は、電気かみそりに関する。
【背景技術】
【０００２】
洗浄用の窓を有する電気かみそりについては、特許文献１に公知である。具体的には、かみそりヘッドの側面にひげ溜め室に溜まったひげ屑を流出する開孔部が設けられているとともに、この開孔部を開閉するスライド式の蓋部が設けられている。蓋部は電気かみそり本体の正面に設けたスイッチハンドルにより移動操作できる。
【先行技術文献】
【特許文献】
【０００３】
【特許文献１】特開昭５７−２０９０７５号公報
【発明の概要】
【発明が解決しようとする課題】
【０００４】
特許文献１の電気かみそりによれば、ひげ溜め室に溜まったひげ屑を開孔部から流出させることができる。しかし、蓋部が閉じた状態においても、開放姿勢の状態においても常に自由空間に露出しているので、使用者は、開閉状態の変化が分かり難い。洗浄後の電気かみそりは、ひげ溜め室の周囲壁に付着した水滴の乾燥を促進するために、蓋部を開放した状態のままで放置し、そのまま蓋部を閉じ忘れることがある。
【０００５】
本発明の目的は、使用者の注意を喚起してシャッターを閉じるよう促して、次回使用時にシャッターを閉じ忘れた状態のまま使用されるのを防止できる電気かみそりを提供することにある。
【課題を解決するための手段】
【０００６】
本発明は、かみそりヘッド２に可動刃７・５５と固定刃８・５６が配置してある電気かみそりに関するものである。かみそりヘッド２の周囲壁に、ヘッド内部に設けた毛屑室Ｒに連通する洗浄水窓２８と、同窓２８をスライド移動して開閉するシャッター２９が設けられている。シャッター２９を閉じた状態においては、シャッター２９の開放移動する側の一部が、シャッター２９以外のかみそりヘッド２の一部で覆われており、シャッター２９を開放姿勢に切換えた状態においては、シャッター２９の上記一部が自由空間に露出することを特徴とする。
【０００７】
シャッター２９を閉じた状態においては、シャッター２９の上記一部がかみそりヘッド２の外郭線内に位置しており、シャッター２９を開放姿勢に切換えた状態においては、シャッター２９の上記一部がかみそりヘッド２の外郭線の外へ突出することを特徴とする。
【０００８】
固定刃８・５６は固定刃ホルダー１８で保持されている。かみそりヘッド２は固定刃ホルダー１８を含む。固定刃ホルダー１８の周囲壁に、ホルダー内部に設けた毛屑室Ｒに連通する洗浄水窓２８と、同窓２８をスライド移動して開閉するシャッター２９とが設けられていることを特徴とする。
【０００９】
シャッター２９の上記一部の後面にリブ体３５が後向きに突出している。シャッター２９と固定刃ホルダー１８との間に隙間Ｓを形成する。リブ体３５はシャッター２９と協同して隙間Ｓの開口部Ｓ１を塞いでいることを特徴とする。
【００１０】
シャッター２９を閉じた状態においては、リブ体３５の後端が固定刃ホルダー１８に凹み形成した段部３６で受け止められていることを特徴とする。
【００１１】
シャッター２９を閉じた状態で位置保持できるとともに開放姿勢とした状態でも位置保持できる節度構造７０を備えている。節度構造７０を隙間Ｓに配設したことを特徴する。
【発明の効果】
【００１２】
本発明の電気かみそりでは、かみそりヘッド２の周囲壁に、ヘッド内部に設けた毛屑室Ｒに連通する洗浄水窓２８と、同窓２８をスライド移動して開閉するシャッター２９が設けられているので、毛屑室Ｒの内部に溜まった毛屑を洗い流すことができる。また、シャッター２９を開放姿勢に切換えた状態においては、シャッター２９の一部が自由空間に露出するので、使用者の注意を喚起してシャッター２９を閉じるよう促すことができる。例えば、洗浄後の電気かみそりは、毛屑室Ｒの周囲壁に付着した水滴の乾燥を促進するために、シャッター２９を開放した状態のままで放置することがある。こうした場合に、使用者の注意を喚起してシャッター２９を閉じるよう促して、次回使用時にシャッター２９を閉じ忘れた状態のまま使用されるのを防止できる。
【００１３】
また、シャッター２９を開放姿勢に切換えた状態においては、シャッター２９の上記一部がかみそりヘッド２の外郭線の外へ突出するので、使用者にシャッター２９を閉じるよう強く促すことができる。
【００１４】
また、固定刃ホルダー１８の周囲壁に、ホルダー内部に設けた毛屑室Ｒに連通する洗浄水窓２８と、同窓２８をスライド移動して開閉するシャッター２９とが設けられていることにより、固定刃ホルダー１８をかみそりヘッド２から取り外して洗浄することができるので、シャッター２９付近に溜まった毛屑をきめ細かくケアできる。
【００１５】
また、シャッター２９と固定刃ホルダー１８との間に隙間Ｓを形成することにより、シャッター２９と固定刃ホルダー１８間の洗浄性を向上することができる。
【００１６】
また、シャッター２９を閉じた状態においては、リブ体３５の後端が固定刃ホルダー１８に凹み形成した段部３６で受け止められていることにより、受け止め部分に屈折路が形成され、毛屑のこぼれを可及的に防止できる。
【００１７】
また、節度構造７０を隙間Ｓに配設したことにより、別途、節度構造７０を設けるための空間を確保する必要がないので、その分だけかみそりヘッド２をコンパクト化できる。
【図面の簡単な説明】
【００１８】
【図１】本発明の実施例１に係る電気かみそりの要部を示す縦断側面図である。
【図２】実施例１に係る電気かみそりの正面図である。
【図３】実施例１に係るかみそりヘッドの平面図である。
【図４】実施例１に係るかみそりヘッドの縦断側面図である。
【図５】実施例１に係る固定刃と長毛導入板の関係構造を示す説明図であり、かみそりヘッドを背面側の斜め上方から見下ろした状態を示している。
【図６】実施例１に係るかみそりヘッドの正面図である。
【図７】実施例１に係るかみそりヘッドの内部正面図である。
【図８】本発明の実施例２に係る電気かみそりのかみそりヘッドの縦断側面図である。
【図９】本発明の実施例３に係る電気かみそりのかみそりヘッドの縦断側面図である。
【図１０】実施例３に係る固定刃と長毛導入板の関係構造を示す平面図である。
【図１１】本発明の実施例４に係る電気かみそりのシャッター構造を示す一部破断側面図である。
【図１２】本発明の実施例５に係る電気かみそりのシャッター構造を示す一部破断側面図である。
【発明を実施するための形態】
【００１９】
（実施例１）
図１ないし図７は、本発明に係る電気かみそりの実施例１を示す。本発明における前後左右上下とは、図２および図４に示す交差矢印と、矢印の近傍の前後、左右、上下の表記に従う。図２において電気かみそりは、グリップを兼ねる本体ケース１と、同ケース１で支持されるかみそりヘッド２を備えている。本体ケース１の内部には、モーター３、２次電池４、および制御基板５などの電装品が配置されている。制御基板５には、モーター３への通電状態をオンオフするスイッチ６や、運転状態を発光表示するＬＥＤなどが実装されている。かみそりヘッド２には横軸（水平軸）周りに回転駆動されるロータリー式の可動刃（内刃）７と固定刃（外刃）８が設けられている。可動刃７は中空円筒状に形成されて、その周面に網目状の切刃の一群が形成されている。本体ケース１の前面の下部には舟形のスイッチパネル９が配置されて、その上端寄りに先のスイッチ６を切換え操作するスイッチボタン１０が配置されている。図示していないが、本体ケース１の後面側には、きわ剃り刃と、きわ剃り刃を駆動位置へ押し上げ操作するスライドノブが設けられている。
【００２０】
図４においてかみそりヘッド２は、ヘッドブロック１３と、ヘッドブロック１３の左右に固定されるサイドフレーム１４・１５（図２参照）と、ヘッドブロック１３の上面を覆うカバー枠１６と、カバー枠１６に対して着脱される可動刃ホルダー１７と、サイドフレーム１４・１５に着脱される固定刃ホルダー１８と、シャッター２９などで構成される。可動刃７は可動刃ホルダー１５で回転自在に支持され、固定刃８は無端枠状の固定刃装着枠１９で逆Ｕ字状に保形した状態で支持されている。固定刃８を支持した状態の固定刃装着枠１９は、固定刃ホルダー１８に対して、図示していないばねによって押下げ付勢された状態で上下移動可能に固定されている。この状態の固定刃ホルダー１８をサイドフレーム１４・１５に装着することにより、固定刃８を可動刃７に密着させることができる。可動刃７と固定刃８で切断された毛屑は、固定刃８とヘッドブロック１３の間の毛屑室Ｒに収容される。
【００２１】
かみそりヘッド２は、本体ケース１に設けた回動軸２１を中心にして、前後方向へ浮動可能（傾動可能）に支持され、本体ケース１とかみそりヘッド２の間に配置した復帰ばね２２で傾動待機位置（図４の状態）へ向かって復帰付勢（弾性付勢）されている。符号２３は、左右のサイドフレーム１４・１５に設けた鍵穴状の連結穴である。かみそりヘッド２は、傾動待機位置から前側へ傾動でき、その傾動限界角度は１５度である。復帰ばね２２は捩じりコイルばねからなり、本体ケース１およびかみそりヘッド２の左右中心に位置する状態で本体ケース１に組付けられている。かみそりヘッド２は、本体ケース１に対して固定される構造であってもよい。
【００２２】
首振り可能に支持したかみそりヘッド２の可動刃７を回転駆動するために、本体ケース１の上部から可動刃７の回転軸７ａにわたって可動刃駆動構造を配置している。図２に示すように可動刃駆動構造は、本体ケース１の内部に設けたギヤトレイン２４と、ギヤトレイン２４の回転動力を回転軸７ａに伝動する巻掛け伝動構造２５で構成される。ギヤトレイン２４はモーター３の縦軸回りの回転動力を減速しながら横軸回りの回転動力に変換し、巻掛け伝動構造２５はタイミングベルトを伝動要素にして横軸回りの回転動力を回転軸７ａに伝動する。ギヤトレイン２４の終段軸は、回動軸２１の中心を貫通しているので、かみそりヘッド２が前後傾動する状態であっても支障なく回転動力を可動刃７に伝動できる。図示していないが、ギヤトレイン２４の中途部には偏心カムが設けられており、同カムで振動子を往復駆動してきわ剃り刃の可動刃を往復駆動している。
【００２３】
図４に示すように、固定刃ホルダー１８はホルダー本体１８ａと、ホルダー本体１８ａの前面に固定した前カバー１８ｂで構成され、前カバー１８ｂに毛屑室Ｒ内の毛屑を洗い流すための洗浄水窓２８が、毛屑室Ｒに連通する状態で横長長方形状に開口されている。洗浄水窓２８は、上下にスライド操作されるシャッター２９で開閉される。シャッター２９は洗浄水窓２８よりひとまわり大きな横長長方形状の板体からなり、その前面上部にはリブ状の操作つまみ３０が突設され、シャッター２９の下部には鉤形の脚片３１（シャッター２９の一部）が一体に形成されている。通常、洗浄水窓２８を開閉する場合は、操作つまみ３０を操作してシャッター２９を上げ下げする。ただし、シャッター２９を閉じ忘れた場合は、後述するように脚片３１がシャッター２９の操作部３１として機能する。つまり脚片３１が操作部３１を兼ねている。
【００２４】
シャッター２９を閉じた状態における脚片３１は、前カバー１８ｂの下枠部２６（シャッター２９以外のかみそりヘッド２の一部）で覆われている。しかし、シャッター２９を開放した状態では、脚片３１を含むシャッター２９の下半側が、下枠部２６の下方の自由空間に露出する。そのため、シャッター２９を閉じた状態と開放姿勢とした状態とで視覚的な変化の度合いが大きいことから、使用者は、シャッター２９が開放されていることを容易に認識することができる。閉じ状態において、下枠部２６で覆われる脚片３１の前面に前カバー１８ｂと異なる色調の塗装を施し、あるいはメッキ等のコーティングを施して表示面を形成すると、使用者に対する注意喚起を確実に行うことができる。また、下枠部２６で覆われる脚片３１の前面に表示面に「ＯＰＥＮ」あるいは「開放」などの文字を表示することによっても、使用者に対する注意喚起を確実に行うことができる。さらに、上記した色調の異なる表示面と上記した文字表示を併用することで、使用者に対する注意喚起をより確実に行うことができる。なお、シャッター２９を閉じた状態では、先の文字表示は下枠部２６で覆われるので、ユーザーが表示面の文字を視認することはない。上記した自由空間とは、かみそりヘッド２や本体ケース１を構成する筐体で覆われていない空間であり、かつ使用者が視認可能な空間のことである。
【００２５】
脚片３１の後面には、左右に長いリブ体３５が後向きに突出してあり、このリブ体３５は、シャッター２９と協同して下枠部２６とホルダー本体１８ａの前壁との間の開口部Ｓ１を塞いでいる。つまり、シャッター２０の下端側（開放移動する側）の一部の断面が鉤形状となっている。リブ体３５を含めて脚片３１と定義することができ、脚片３１の断面が鉤形状となっていると説明できる。図４の部分拡大図に示すように、シャッター２９を閉じた状態においては、リブ体３５の後端がホルダー本体１８ａの前壁の下部に凹み形成した段部３６で受止められる。この状態では、シャッター２９とホルダー本体１８ａの前壁との間に隙間Ｓが形成されるが、この隙間Ｓを利用して後述する節度アーム３２を配置している。シャッター２９を開放した状態においては、洗浄水窓２８の上半部が開放され、図４に想像線で示すように、脚片３１が本体ケース１の上部で受止められる。この状態で、水道水などを洗浄水窓２８から毛屑室Ｒへ流し入れながら可動刃７を回転駆動することにより、毛屑を洗い流すことができる。また、先の隙間Ｓに入込んだ毛屑は、隙間Ｓの下開口（開口部）Ｓ１から確実に洗い流すことができる。このとき、隙間Ｓの下開口Ｓ１の開口幅は、隙間Ｓの前後厚みに段部３６の前後寸法を加えた寸法になるので、洗浄水の排水を効果的に行うことができる。また、シャッター２９を閉じた状態においては、リブ体３５の後端を段部３６で受止めて隙間Ｓの下開口Ｓ１を閉止するので、毛屑が下開口Ｓ１から漏れ出るのを確実に防止できる。上記のように、シャッター２９が閉じ姿勢に切換えられた状態では、脚片３１はかみそりヘッド２の外郭線内に位置しているが、シャッター２９を開放姿勢に切換えた状態においては、脚片３１（シャッター２９の一部）がかみそりヘッド２の外郭線の外へ突出している。
【００２６】
シャッター２９を閉じ位置と開放位置において位置保持するために、先に説明した隙間Ｓを利用してツーウェイキック型の節度構造７０を設けている（図６参照）。節度構造７０は左右一対の節度アーム３２と、同アーム３２の両端を支持する支点ピン３３、および連結ピン３４で構成する。節度アーム３２は楕円枠状の一対の弾性腕を備えており、その一端がホルダー本体１８ａに設けた支点ピン３３で支持され、他端がシャッター２９の内面に設けた連結ピン３４で支持されている。ツーウェイキック型の節度構造７０における節度アーム３２は、弾性腕部が弾性変形することでデッドポイントを乗越えて上下に揺動でき、デッドポイントを通過したのちは、シャッター２９を閉じ位置へ押上げ操作し、あるいは開放位置へ押下げ操作して位置保持する。デッドポイントは左右の支点ピン３３の中心を通る仮想線上にある。上記のように、ツーウェイキック型の節度構造７０を隙間Ｓに配置すると、別途、節度構造７０を設けるための空間を確保する必要がないので、その分だけかみそりヘッド２をコンパクト化できる。
【００２７】
固定刃８は電鋳法で形成されており、図１、図３、および図５に示すように、その刃面には主に短毛を切断する切刃３７の一群と、長毛やくせ毛を導入し切断する微細なスリット穴３８が形成されている。スリット穴３８は可動刃７の回転方向上手側の切刃３７の端部に隣接して設けられており、その一群が固定刃８の一側から他側にわたって一定ピッチおきに形成されている。図５に示すように、スリット穴３８の左右幅寸法は０．３０ｍｍとし、スリット穴３８の間のリブ壁３９の左右幅寸法Ｂは０．３５ｍｍとした。リブ壁３９の隣接ピッチＰ１、およびスリット穴３８の隣接ピッチは、それぞれ０．６５ｍｍである。固定刃８の厚みＥ１は０．０５ｍｍである。
【００２８】
長毛やくせ毛をスリット穴３８へ向かって導入案内するために、スリット穴３８の外面に臨んで長毛導入板４０が設けられ、さらに、長毛導入板４０の外面を覆うホルダー本体１８ａの外面に導入案内部４１が設けられている。長毛導入板４０は、ステンレス板材にエッチング処理とプレス加工を施して形成されており、板状のプレート部４２と、プレート部４２から片持ち支持状に連出される一群の微細なコーム体４３を一体に備えている。コーム体４３の突端には、外突湾曲状の毛起し部４４が形成され、コーム体４３の基端に連続して傾斜壁４５が折曲げ形成されている（図１参照）。
【００２９】
上記のように、コーム体４３をプレート部４２で片持ち支持すると、コーム体４３が肌面に押し付けられるとき、コーム体４３を弾性変形させて肌当りをソフトで優しいものとすることができる。また、コーム体４３が弾性変形することで、肌面の滑り抵抗を逃がすことができるので、ひげ切断時のかみそりヘッド２の移動を円滑に行える。さらに、コーム体４３の突端側に外突湾曲状の毛起し部４４を形成することにより、毛起し部４４で肌面を押圧し緊張させて肌面に倒込んだ長毛やくせ毛を起毛できるので、コーム体４３およびスリット溝４６で起毛された長毛やくせ毛を的確に捕捉してスリット穴３８へ向かって導入案内できる。
【００３０】
コーム体４３は、微細なスリット穴３８およびリブ壁３９に対応して形成されており、その左右幅寸法Ｄは先のリブ壁３９の左右幅寸法Ｂと同じ０．３５ｍｍとした。また、コーム体４３の左右幅は、基端寄りから突端にわたって同じに設定した。コーム体４３の間のスリット溝４６の左右幅寸法は０．３０ｍｍとし、コーム体４３の隣接ピッチＰ２、およびスリット溝４６の隣接ピッチは、それぞれリブ壁３９の隣接ピッチＰ１と同じ０．６５ｍｍとした。こうした長毛導入板４０によれば、スリット溝４６内に入込んだ長毛やくせ毛が、スリット溝４６の外へ抜出るのを良く防止しながら、長毛やくせ毛を固定刃８・５６のスリット穴３８・６０へ確実に導入案内して、さらに効果的に長毛やくせ毛を切断できる。なお、コーム体４３の左右幅寸法Ｄは、先のリブ壁３９の左右幅寸法Ｂと同じか、これより小さく設定してあってもよい（Ｂ＞＝Ｄ）。
【００３１】
上記のように、ステンレス板材にエッチング処理を施してコーム体４３を形成すると、コーム体４３の強度を充分に確保し、その耐久性を向上しながら、コーム体４３の隣接ピッチＰ２をリブ壁３９の隣接ピッチＰ１と同様に微細化できる。また、プレート部４２に連続して微細な一群のコーム体４３を一体に形成するので、個々のコーム体４３の形状および構造を単純化して、長毛導入板４０の全体構造を簡素化できる。さらに、ひげ剃り時の固定刃８と可動刃７の摩擦によって固定刃８の温度が上昇する場合に、長毛導入板４０の放熱作用で摩擦熱を効果的に逃がして、固定刃８の温度が高温になるのをよく防止できる。とくに、コーム体４３が自由空間に露出しており、その表面積が大きいので、コーム体４３による摩擦熱の放熱を効果的に行うことができる。
【００３２】
長毛導入板４０は、プレート部４２を固定刃８の後縁の装着部４８の外面に隣接配置した状態で、プレート部４２の左右４個所が固定刃８の装着部４８と共に固定刃装着枠１９に溶着固定されて、固定刃８と一体化される。つまり、固定刃８の後縁の装着部４８と、装着部４８に隣接配置したプレート部４２を、溶着固定構造（締結構造）で共締め固定している。装着部４８の外面とは、固定刃ホルダー１８の内面と正対する装着部４８の外側の表面を意味する。図４において、符号４７は固定刃８とプレート部４２の溶着頭部を示している。このように、プレート部４２と固定刃８を溶着固定構造で共締め固定することにより、固定刃８の装着部を固定刃装着枠１９とプレート部４２が協同して補強できるので、固定刃８の取付け強度を増強して耐久性を向上できる。また、固定刃８の前縁の装着部４８は、装着部４８に隣接配置した金属製の補強板４９を、溶着固定構造（締結構造）で共締め固定している。このように、補強板４９と固定刃８を溶着固定構造で共締め固定することにより、前記と同様に固定刃８の取付け強度を増強して耐久性を向上できる。
【００３３】
プレート部４２を溶着固定する場合に、長毛導入板４０を固定刃８に対して位置決めすることにより、図５に示すように、コーム体４３をリブ壁３９の外面に位置させ、コーム体４３の間のスリット溝４６をスリット穴３８の外面に位置させることができる。従って、スリット穴３８がコーム体４３で塞がれるのを解消して、全てのスリット穴３８内に長毛やくせ毛を導入して切断することができる。また、コーム体４３の強度を確保しながら、コーム体４３、およびスリット溝４６の隣接ピッチＰ２を微細化できるので、固定刃８に設けたスリット穴３８による長毛やくせ毛の切断を効果的に行える。
【００３４】
ホルダー本体１８ａに設けた導入案内部４１は、交互に形成した案内凹部４１ａと案内凸部４１ｂで構成される。このように、プレート部４２の外面を覆う固定刃ホルダー１８の外面に導入案内部４１を設けると、導入案内部４１で捕捉し梳き整えた長毛およびくせ毛を、コーム体４３およびスリット溝４６へ向かって導入案内できるので、長毛およびくせ毛の切断をさらに効果的に行える。案内凹部４１ａの隣接ピッチは、コーム体４３の隣接ピッチＰ２より大きい。
【００３５】
上記以外の長毛導入板４０の詳細寸法は次の通りである。図１に示すように、コーム体４３は、その基端から毛起し部４４の突端にわたって同じ厚みで形成されており、その厚み寸法Ｅは０．３ｍｍである。このように、コーム体４３の厚み寸法Ｅが基端から毛起し部４４の突端にわたって同じ厚みに設定してあると、スリット溝４６の内部に入込んだ長毛およびくせ毛が、スリット溝４６からの外へ抜出るのを良く防止できる。なお、コーム体４３の厚み寸法Ｅと、先のコーム体４３の左右幅寸法Ｄとの関係は不等式（Ｄ＞＝Ｅ）を満足することが好ましい。先に説明したように固定刃８の厚みＥ１は０．０５ｍｍであり、コーム体４３の厚み寸法Ｅに比べて充分に小さい（Ｅ１＜Ｅ）。そのため、固定刃８による深ぞりを実現しながら、プレート部４２で固定刃８の装着部４８を補強して、固定刃８の構造強度を向上している。
【００３６】
また、毛起し部４４の湾曲半径ｒ２は、逆Ｕ字状に保形された固定刃８の湾曲半径ｒ１より小さく設定されている。この実施例では固定刃８の湾曲半径ｒ１を７．５ｍｍとするとき、毛起し部４４の湾曲半径ｒ２を１．３ｍｍとして、肌面に対する毛起し部４４の接触面積を小さくして面圧を高めるようにした。毛起し部４４の面圧を高めることにより、肌面をより弱い力で的確に緊張させて、肌面に倒込んだ長毛やくせ毛をさらに確実に起毛できるうえ、コーム体４３の肌当りをソフトで優しいものにできる。また、毛起し部４４が湾曲しているので、コーム体４３が肌面に接触している限りは、スリット溝４６内に入込んだ長毛が抜出ることはなく、長毛やくせ毛を固定刃８のスリット穴３８へさらに確実に導入案内できる。図１に示すように、コーム体４３と固定刃８のリブ壁３９は隙間Ｇを介して隣接している。そのため、コーム体４３がリブ壁３９に強く押付けられるのを避けて、固定刃８がコーム体４３で傷付けられるのを解消できる。この実施例では隙間Ｇを０．５ｍｍとした（Ｇ＞＝Ｅ）。
【００３７】
電気かみそりの使用回数が増えるのに伴って、可動刃７の切刃周面に毛屑や皮脂などが堆積することがある。こうした堆積物を強制的に除去して可動刃７の良好な切れ味を保持するために、洗浄水窓２８に臨む毛屑室Ｒの内部に、毛屑除去体５０を配置している。この実施例では図７に示すように、カバー枠１６の前壁１６ａを毛屑除去体５０としている。毛屑除去体５０は、洗浄水窓２８と対向する位置にあり、毛屑室Ｒの前空間寄りにある壁部５０ａと、壁部５０ａの上縁に鋸刃状に形成される先端部５０ｂとからなる。この先端部５０ｂが毛屑除去部となる。毛屑除去体５０の先端部５０ｂは、横軸まわりに回転駆動されるロータリー式の可動刃７の表面に近接対向するところに位置しており、可動刃７の周面に付着した毛屑や皮脂の堆積物を毛屑除去体５０で掻落とすようにしている。毛屑除去体５０の鋸刃状に形成した先端部５０ｂは、凸の部分と凹の部分が、可動刃７の周面に付着した毛屑や皮脂の堆積物と時間差で接触して掻落とす。そのため、堆積物を掻落とす際の抵抗を小さくして、モーター３に作用する負荷を軽減できる。因みに、毛屑除去体５０の上縁が直線状に形成してある場合には、堆積物を横一線状に掻落とすことになるので、モーター３に作用する負荷が大幅に増加するのを避けられない。なお、この実施例では先端部５０ｂは壁部５０ａの先端の縁を指しているが、必ずしもこれに限定されるものではなく、先端部（毛屑除去部）５０ｂは、壁部５０ａの先端寄りに開口部を設けて、その開口部の縁を鋸刃状とした毛屑除去部としたものも含むものとする。毛屑除去体５０は、指先や布の一部が可動刃７に巻込まれるのを防ぐ防護体としても機能している。カバー枠１６の前壁１６ａには、つまり、毛屑除去体５０の壁部５０ａには、洗浄水窓２８から流入した洗浄水の通過を促進する３個の通口５１が形成されている。通口５１は、洗浄水窓２８と対向する位置にある。また、通口５１は、可動刃７に対向する位置にある。つまり、通口５１、洗浄水窓２８、可動刃７の三者については、洗浄水窓２８が通口５１を介して可動刃７を臨む位置関係にある（図７参照）。従って、水道水などの洗浄水を洗浄水窓２８から流し入れれば直接、可動刃７に当てることができ、可動刃７の洗浄効果を向上することができる。また、直接、毛屑室Ｒに洗浄水を流し入れることができるので、洗浄時間を短縮させることができる。また、毛屑除去体５０が、洗浄水窓２８と対向する位置にあるため、可動刃７から掻き落とした毛屑が洗浄水窓２８の付近に溜まることになる。従って、洗浄水窓２８から洗浄水を流し入れれば効果的に毛屑の除去が可能となる。なお、上記毛屑除去体５０は、レシプロ式の可動刃７とこれに摺接する固定刃８を有する電気かみそりにも適用できる。このとき、可動刃７は、プラスチック製の取付ベースと、取付ベースに固定される切刃を含む金属製の可動刃本体とにより構成されるが、洗浄水窓２８が通口５１を介して臨むのは、やはり取付ベースを含む可動刃７である。また、毛屑除去体５０の先端部５０ｂは、凹凸を大きくして櫛状の先端部５０ｂとして可動刃７の側壁（前後壁）に当てて可動刃７の側壁に堆積した毛屑や皮脂を掻落とすものとする。その他作用効果については、ロータリー式と同様である。
【００３８】
上記のように、毛屑室Ｒの内部に溜まった毛屑は、水道水などを洗浄水窓２８から毛屑室Ｒへ流し入れながら可動刃７を回転駆動することにより、洗い流すことができる。洗浄後の電気かみそりは、毛屑室Ｒの周囲壁に付着した水滴の乾燥を促進するために、シャッター２９を開放した状態のままで放置することがある。そのため、次回使用時にシャッター２９を閉じ忘れた状態のまま、モーター３を起動してひげ剃りを行うおそれがある。シャッター２９を閉じ忘れた状態では、シャッター２９の脚片３１がかみそりヘッド２の下側の外郭線から突出し、さらに洗浄水窓２８が開口しているので、使用者の注意を喚起してシャッター２９を閉じるよう促すことができる。
【００３９】
誤って、シャッター２９を閉じ忘れた状態のままでモーター３が起動された場合であっても、ひげ切断を行うことでシャッター２９を自動的に閉じ位置へ戻すことができる。先に説明したように、シャッター２９が開放している状態においては、シャッター２９の下端側の一部（脚片＝操作部３１）が本体ケース１の上部で受止められている。そのため、かみそりヘッド２を肌面に沿って滑らせながらひげ切断を行うと、かみそりヘッド２が回動軸２１を中心にして前側へ傾動する。そのため、シャッター２９の下端側の一部、つまりシャッター２９の操作部３１は本体ケース１から変位反力を受け、節度アーム３２の弾性力に抗して上方スライドして、開放姿勢のシャッター２９を閉じ姿勢に切換えることができる。本体ケース１から変位反力を受けた操作部３１が、開放姿勢のシャッター２９を閉じ姿勢に切換える際、本体ケース１からの変位反力に加えて、節度構造７０によってシャッター２９を閉じ姿勢となる向きに弾性付勢力を加えることができる。つまり、シャッター２９がデットポイントを境に逆方向に弾性付勢するツーウェイキック型の節度構造７０で付勢してあるので、シャッター２９の操作部３１が閉じ側へ移動し、節度アーム３２がデッドポイントを通過したのちは、シャッター２９が閉じ位置へ自動的に押上げ操作される。従って、かみそりヘッド２を傾動限界角度まで傾動させる必要はなく、かみそりヘッド２が肌面に軽く押し付けられた状態でシャッター２９が閉じ位置へ戻すことができる。
【００４０】
上記実施例の電気かみそりは、以下の態様で実施することができる。
【００４１】
グリップ兼用の本体ケース１の上部にかみそりヘッド２を備え、
かみそりヘッド２にひげなどの毛を切断する可動刃７・５５と固定刃８・５６が配置してある電気かみそりであって、
かみそりヘッド２の周囲壁に、ヘッド内部に設けた毛屑室Ｒに連通する洗浄水窓２８と、同窓２８を上下にスライド移動して開閉するシャッター２９が設けられており、
シャッター２９を閉じた状態（閉じ姿勢）においては、シャッター２９の開放移動する側の一部（下端部）が、シャッター２９以外のかみそりヘッド２の一部で覆われており、シャッター２９を開放姿勢に切換えた状態においては、シャッター２９の上記一部が自由空間に露出することを特徴とする電気かみそり。
上記構成によれば、かみそりヘッド２の周囲壁に、ヘッド内部に設けた毛屑室Ｒに連通する洗浄水窓２８と、同窓２８をスライド移動して開閉するシャッター２９が設けられているので、毛屑室Ｒの内部に溜まった毛屑を洗い流すことができる。また、シャッター２９を開放姿勢に切換えた状態においては、シャッター２９の一部が自由空間に露出するので、使用者の注意を喚起してシャッター２９を閉じるよう促すことができる。例えば、洗浄後の電気かみそりは、毛屑室Ｒの周囲壁に付着した水滴の乾燥を促進するために、シャッター２９を開放した状態のままで放置することがある。こうした場合に、使用者の注意を喚起してシャッター２９を閉じるよう促して、次回使用時にシャッター２９を閉じ忘れた状態のまま使用されるのを防止できる。
【００４２】
グリップ兼用の本体ケース１の上部にかみそりヘッド２を備え、
かみそりヘッド２にひげなどの毛を切断する可動刃７・５５と固定刃８・５６が配置してある電気かみそりであって、
かみそりヘッド２の周囲壁に、ヘッド内部に設けた毛屑室Ｒに連通する洗浄水窓２８と、同窓２８を上下にスライド移動して開閉するシャッター２９が設けられており、
シャッター２９を閉じた状態（閉じ姿勢）においては、シャッター２９の上記一部がかみそりヘッド２の外郭線内に位置しており、シャッター２９を開放姿勢に切換えた状態においては、シャッター２９の上記一部がかみそりヘッド２の外郭線の外へ突出することを特徴とする電気かみそり。
上記構成によれば、シャッター２９を開放姿勢に切換えた状態においてシャッター２９の上記一部がかみそりヘッド２の外郭線の外へ突出するので、使用者にシャッター２９を閉じるよう強く促すことができる。
【００４３】
上記電気かみそりであって、
固定刃８・５６は固定刃ホルダー１８で保持されており、
かみそりヘッド２は固定刃ホルダー１８を含み、
固定刃ホルダー１８の周囲壁に、ホルダー内部に設けた毛屑室Ｒに連通する洗浄水窓２８と、同窓２８を上下にスライド移動して開閉するシャッター２９とが設けられていることを特徴とする電気かみそり。
上記構成によれば、固定刃ホルダー１８をかみそりヘッド２から取り外して洗浄することができるので、シャッター２９付近に溜まった毛屑をきめ細かくケアできる。
【００４４】
上記電気かみそりであって、
シャッター２９の上記一部の後面にリブ体３５が後向きに突出しており、
シャッター２９と固定刃ホルダー１８との間に隙間Ｓが形成されており、
リブ体３５はシャッター２９と協同して隙間Ｓの開口部Ｓ１を塞いでいることを特徴とする電気かみそり。
上記構成によれば、シャッター２９と固定刃ホルダー１８との間に隙間Ｓを形成しているので、シャッター２９と固定刃ホルダー１８間の洗浄性を向上することができる。
【００４５】
上記電気かみそりであって、
シャッター２９を閉じた状態においては、リブ体３５の後端が固定刃ホルダー１８に凹み形成した開口部Ｓ１に臨む段部３６で受け止められていることを特徴とする電気かみそり。
上記構成によれば、シャッター２９を閉じた状態においてリブ体３５の後端が固定刃ホルダー１８に凹み形成した段部３６で受け止められているので、受け止め部分に屈折路が形成され、毛屑のこぼれを可及的に防止できる。
【００４６】
上記電気かみそりであって、
シャッター２９を閉じた状態で位置保持できるとともに開放姿勢とした状態でも位置保持できる節度構造７０を備えており、
節度構造７０を隙間Ｓに配設したことを特徴する電気かみそり。
上記構成によれば、節度構造７０を隙間Ｓに配設したことにより、別途、節度構造７０を設けるための空間を確保する必要がないので、その分だけかみそりヘッド２をコンパクト化できる。
【００４７】
グリップ兼用の本体ケース１の上部にかみそりヘッド２を備え、
かみそりヘッド２にひげなどの毛を切断する可動刃７・５５と固定刃８・５６が配置してある電気かみそりであって、
かみそりヘッド２の内部には毛屑室Ｒが設けられており、毛屑室Ｒは、可動刃７・５５と固定刃８・５６が協同して切断した毛屑を収容することができ、
毛屑室Ｒの内部に毛屑除去体５０が設けられており、
毛屑除去体５０は、壁部５０ａと、壁部５０ａの端部に形成される毛屑除去部５０ｂとを含み、
毛屑除去部５０ｂにより可動刃７・５５に付着している毛屑や皮脂を除去できるよう構成されており、
かみそりヘッド２の周囲壁に、ヘッド内部に設けた毛屑室Ｒに連通する洗浄水窓２８と、同窓２８を開閉するシャッター２９が設けられており、
壁部５０ａには、洗浄水窓２８から流入した洗浄水の通過を可能とする通口５１が形成されていることを特徴とする電気かみそり。
なお、シャッター２９は、上下方向にスライドする構造に限らず、軸まわりに回転することで洗浄水窓２８を開閉する構造であってもよい。
上記構成によれば、毛屑除去部５０ｂにより可動刃７・５５に付着している毛屑や皮脂を除去できる。また、通行５１が形成されることにより毛屑室Ｒに溜まった毛屑を効果的に洗い流すことができる。
【００４８】
上記電気かみそりであって、
洗浄水窓２８が通口５１を介して可動刃７を臨む位置関係にあることを特徴とする電気かみそり。
上記構成によれば、水道水などの洗浄水を洗浄水窓２８から流し入れれば直接、可動刃７に当てることができ、可動刃７の洗浄効果を向上することができる。また、直接、毛屑室Ｒに洗浄水を流し入れることができるので、洗浄時間を短縮させることができる。
【００４９】
グリップ兼用の本体ケース１の上部にかみそりヘッド２を備え、
かみそりヘッド２にひげなどの毛を切断する可動刃７と固定刃８が配置してある電気かみそりであって、
かみそりヘッド２の内部には毛屑室Ｒが設けられており、毛屑室Ｒは、横軸まわりに回転する可動刃７と、この可動刃７に摺接する固定刃８が協同して切断した毛屑を収容することができ、
毛屑室Ｒの内部に毛屑除去体５０が設けられており、
毛屑除去体５０は、壁部５０ａと、壁部５０ａの端部に形成される鋸刃状の毛屑除去部５０ｂとを含み、
毛屑除去部５０ｂにより可動刃７・５５に付着している毛屑や皮脂を除去できるよう構成されていることを特徴とする電気かみそり。
上記構成によれば、毛屑除去部５０ｂの凸の部分と凹の部分が、可動刃７の周面に付着した毛屑や皮脂の堆積物と時間差で接触して掻落とす。そのため、堆積物を掻落とす際の抵抗を小さくして、モーター３に作用する負荷を軽減できる。因みに、毛屑除去体５０の上縁が直線状に形成してある場合には、堆積物を横一線状に掻落とすことになるので、モーター３に作用する負荷が大幅に増加するのを避けられない。
【００５０】
上記電気かみそりであって、
かみそりヘッド２の周囲壁に、ヘッド内部に設けた毛屑室Ｒに連通する洗浄水窓２８と、同窓２８を開閉するシャッター２９が設けられており、
壁部５０ａには、洗浄水窓２８から流入した洗浄水の通過を可能とする通口５１が形成されており、
洗浄水窓２８が通口５１を介して可動刃７を臨む位置関係にあることを特徴とする電気かみそり。
なお、シャッター２９は、上下方向にスライドする構造に限らず、軸まわりに回転することで洗浄水窓２８を開閉する構造であってもよい。
上記構成によれば、水道水などの洗浄水を洗浄水窓２８から流し入れれば直接、可動刃７に当てることができ、可動刃７の洗浄効果を向上することができる。また、直接、毛屑室Ｒに洗浄水を流し入れることができるので、洗浄時間を短縮させることができる。
【００５１】
グリップ兼用の本体ケース１の上部にかみそりヘッド２を備え、
かみそりヘッド２にひげなどの毛を切断する可動刃７・５５と固定刃８・５６が配置してある電気かみそりであって、
かみそりヘッド２の内部には毛屑室Ｒが設けられており、毛屑室Ｒは、可動刃７・５５と固定刃８・５６が協同して切断した毛屑を収容することができ、
かみそりヘッド２の周囲壁に、ヘッド内部に設けた毛屑室Ｒに連通する洗浄水窓２８と、同窓２８を開閉するシャッター２９が設けられており、
かみそりヘッド２が、本体ケース１で移動可能に支持されており、
シャッター２９の下方には、シャッター２９を開放した状態において本体ケース１に近接ないし接当する操作部３１が設けられており、
使用時にかみそりヘッド２が本体ケース１側へ移動変位して、操作部３１が本体ケース１に押付けられる状態において、本体ケース１から変位反力を受けた操作部３１が、開放姿勢のシャッター２９を閉じ姿勢に切換えることを特徴とする電気かみそり。
上記構成によれば、かみそりヘッド２が本体ケース１に対して移動変位する動作を利用して、シャッター２９を自動的に閉じ操作できる。従って、シャッター２９を閉じ忘れたまま使用されてもシャッター２９を自動的に閉じ姿勢とすることができるので、洗浄水窓２８から毛屑がこぼれ落ちることはない。
【００５２】
上記電気かみそりであって、
シャッター２９を弾性付勢することでシャッター２９の閉じ姿勢および開放姿勢を保持する弾性付勢構造を具備する節度構造７０を備えており、
本体ケース１から変位反力を受けた操作部３１が、開放姿勢のシャッター２９を閉じ姿勢に切換えるとき、閉じ姿勢となる向きに節度構造７０の弾性付勢力が加わることを特徴とする電気かみそり。
上記構成によれば、かみそりヘッド２の移動途中でシャッター２９を閉じ位置へ戻すことができる。
【００５３】
（実施例２）
図８は本発明に係る電気かみそりの実施例２を示す。そこでは、固定刃８の内面に左右へ往復駆動されるレシプロ式の可動刃７を配置して、ひげ切断を行うようにした。可動刃７は、可動刃ホルダー１７で逆Ｕ字状に保形されており、湾曲部分に設けたスリット状の切刃でひげ切断を行う。実施例１の電気かみそりと同様に、固定刃８には切刃３７の一群とスリット穴３８が形成されており、その前後縁の装着部４８に補強板４９が溶着固定されている。後縁の装着部４８は、補強板５２と長毛導入板４０のプレート部４２に挟まれて、これら３者が固定刃ホルダー１８に溶着固定されている。固定刃装着枠１９は省略した。また、長毛導入板４０に隣接する固定刃ホルダー１８の後壁には、長毛やくせ毛をコーム体４３へ向かって導入案内する、突リブ状のリブ群からなる導入案内部４１を形成するようにした。また、洗浄水窓２８を開閉するシャッター２９を備える構造、毛屑除去体５０を備える構造、洗浄水窓２８が通口５１を介して可動刃７を臨む位置関係にある構造、本体ケース１から変位反力を受けた操作部３１が開放姿勢のシャッター２９を閉じ姿勢に切換える構造なども、実施例１の電気かみそりと同様である。なお、後縁の装着部４８は長毛導入板４０のプレート部４２で補強されているので、後縁の補強板４９は省略することができる。他は実施例１と同じであるので、同じ部材に同じ符号を付して、その説明を省略する。以下の実施例においても同じとする。
【００５４】
（実施例３）
図９および図１０は本発明に係る電気かみそりの実施例３を示す。そこでは、かみそりヘッド２に前後一対のメイン刃５３を設け、メイン刃５３の間にトリマー刃５４を設けた。前後のメイン刃５３は、ロータリー式の可動刃７と固定刃８で構成するが、矢印で示すように前側の可動刃７の駆動方向と後側の可動刃７の駆動方向は逆向きに設定されている。トリマー刃５４は、それぞれ断面門形のスリット刃からなる可動刃５５、および固定刃５６と、固定刃５６の前後に配置した長毛導入板４０で構成されており、可動刃５５を可動刃駆動軸５７で往復駆動することにより、長毛やくせ毛を切断できる。固定刃５６の切刃５９が、可動刃７の回転中心軸と直交する前後方向に長いリブ状に形成されているのに対し、可動刃５５の切刃５８は、固定刃５６の切刃５９に対して傾斜する状態で形成されている（図１０参照）。符号６０は切刃５９の間のスリット溝である。なお、この実施例における切刃５９は、実施例１におけるリブ壁３９に相当する。
【００５５】
長毛導入板４０の基本構造は、実施例１で説明した長毛導入板４０の構造と概ね同じであるが、毛起し部４４が優弧状に折曲げられている点と、トリマー刃５４のサイズに合わせて長毛導入板４０をやや小さめに形成する点が、実施例１の長毛導入板４０と異なる。また、図９に向かって左側の長毛導入板４０のプレート部４２の下端に連続して、支持腕７１を折り曲げ、その先端に弾性片７２を設けるようにした。弾性片７２は、可動刃５５を支持する可動刃ホルダー７３の下面に圧接して、可動刃５５を押し上げ付勢しており、これにより、可動刃５５を固定刃５６に密着させている。前後の長毛導入板４０は、毛起し部４４の先端が固定刃５６の上隅に隣接する状態で、固定刃５６の前後面に固定されている。この状態の毛起し部４４の頂部上面は、固定刃５６の上面より上方に位置させており、毛起し部４４の先端は、固定刃５６の上部内面より僅かに上方に位置させている。
【００５６】
上記の長毛導入板４０におけるスリット穴６０の左右幅寸法を０．３５ｍｍとするとき、切刃５９の左右幅寸法Ｂは０．７５ｍｍとし、切刃５９の隣接ピッチＰ１は１．１ｍｍとした。コーム体４３の左右幅寸法Ｄは先の切刃５９の左右幅寸法Ｂと同じ０．７５ｍｍとし、コーム体４３の間のスリット溝４６の左右幅寸法は０．３５ｍｍとした。また、コーム体４３の隣接ピッチＰ２は切刃５９の隣接ピッチＰ１と同じ１．１ｍｍとした。
【００５７】
図１０に示すように、前後の長毛導入板４０のコーム体４３は、固定刃５６の切刃（リブ壁）５９の外面に位置しており、コーム体４３の間のスリット溝４６は、固定刃５６のスリット穴６０の外面に位置している。こうした電気かみそりによれば、スリット穴６０がコーム体４３で塞がれるのを解消して、全てのスリット穴６０内に長毛やくせ毛を導入して切断することができる。また、コーム体４３の強度を確保しながら、コーム体４３、およびスリット溝４６の隣接ピッチＰ２を微細化できるので、固定刃５６に設けたスリット穴６０による長毛やくせ毛の切断を効果的に行うことができる。以上のように、長毛導入板４０はメイン刃５３以外のせん断刃にも付加することができる。洗浄水窓２８を開閉するシャッター２９を備える構造、毛屑除去体５０を備える構造、洗浄水窓２８が通口５１を介して可動刃７を臨む位置関係にある構造、本体ケース１から変位反力を受けた操作部３１が開放姿勢のシャッター２９を閉じ姿勢に切換える構造などは、実施例１の電気かみそりと同様である。
【００５８】
（実施例４）
図１１は本発明に係る電気かみそりの実施例４を示す。そこでは、かみそりヘッド２のヘッドブロック１３を本体ケース１で上下移動可能に支持して、フロートばね６２で浮動支持（弾性支持）するようにした。固定刃ホルダー１８の前壁には、洗浄水窓２８が開口されており、同窓２８を上下スライドするシャッター２９で開閉できるようにした。シャッター２９の下端の後面には、実施例１と同様の左右に長いリブ体３５が後向きに突出してある。シャッター２９を閉じた状態においては、リブ体３５の後端が固定刃ホルダー１８前壁の下部に凹み形成した段部３６で受止められる。実施例１と同様に、誤って、シャッター２９を閉じ忘れた状態のままでモーター３が起動された場合であっても、ひげ切断を行うことでシャッター２９を自動的に閉じ位置へ戻すことができる。シャッター２９が開放している状態においては、シャッター２９の下端（操作部）３１が本体ケース１の肩部に近接している。そのため、かみそりヘッド２を肌面に沿って滑らせながらひげ切断を行うと、かみそりヘッド２がフロートばね６２の付勢力に抗して本体ケース１側へ沈み込んで、シャッター２９の下端３１が同ケース１の肩部で受止められる。そのため、シャッター２９は本体ケース１から変位反力を受け、節度アーム３２の弾性力に抗して上方スライドして、開放姿勢のシャッター２９を閉じ姿勢に切換えることができる。このとき、シャッター２９がツーウェイキック型の節度構造７０で付勢してあるので、操作部３１が閉じ側へ移動し、節度アーム３２がデッドポイントを通過したのちは、シャッター２９が閉じ位置へ自動的に押上げ操作される。従って、かみそりヘッド２を沈み込み限界まで沈み込ませる必要はなく、かみそりヘッド２が肌面に軽く押し付けられた状態でシャッター２９が閉じ位置へ戻すことができる。毛屑除去体５０を備える構造、洗浄水窓２８が通口５１を介して可動刃７を臨む位置関係にある構造などは、実施例１の電気かみそりと同様である。
【００５９】
（実施例５）
図１２は本発明に係る電気かみそりの実施例５を示す。そこでは、実施例４と同様に、かみそりヘッド２のヘッドブロック１３を本体ケース１で上下移動可能に支持して、フロートばね６２で浮動支持（弾性支持）するようにした。また、シャッター２９を開閉操作するスライドノブ６３をシャッター２９の下方に上下スライド可能に配置し、スライドノブ６３に操作つまみ３０を設けるようにした。シャッター２９はピン６７で揺動開閉可能に支持されており、その内面の上部には連動腕６４が一体に設けられている。スライドノブ６３に設けた操作腕６５と連動腕６４はピン６６で連動可能に連結されている。
【００６０】
スライドノブ６３を上方の閉じ位置から押し下げ操作すると、シャッター２９の連動腕６４がピン６７の周りに下方揺動するので、シャッター２９を開放できる。この状態のスライドノブ６３の下端（操作部）３１は、本体ケース１の肩部に近接している。そのため、かみそりヘッド２を肌面に沿って滑らせながらひげ切断を行うと、かみそりヘッド２がフロートばね６２の付勢力に抗して本体ケース１側へ沈み込んで、スライドノブ６３の下端３１が同ケース１の肩部で受止められる。そのため、スライドノブ６３は本体ケース１から変位反力を受けて上方スライドし、開放姿勢のシャッター２９を閉じ姿勢に切換えることができる。この実施例においても、かみそりヘッド２が沈み込み限界まで沈み込む前に、シャッター２９を閉じ姿勢に切換えることができる。毛屑除去体５０を備える構造、洗浄水窓２８が通口５１を介して可動刃７を臨む位置関係にある構造などは、実施例１の電気かみそりと同様である。
【００６１】
上記の実施例以外に、長毛導入板４０は、コーム体４３およびスリット溝４６を微細構造化しながら強度を確保するうえで、金属板にエッチング処理を施して形成するのが好適であるが、その必要はない。例えば、プラスチック製のプレート部４２の成形時に、金属線材で形成した一群のコーム体４３をアウトサートして長毛導入板４０を形成することができる。洗浄水窓２８は、かみそりヘッド２の浮動支持構造の違いに応じて、固定刃ホルダー１８の周囲壁の任意の位置に開口することができる。毛起し部４４は部分円弧状に形成する必要はなく、湾曲状に折曲げてあれば足りる。上記の実施例では、スリット穴３８・６０を一定間隔おきに形成したがその必要はなく、スリット穴３８・６０の間隔は、固定刃８・５６の一側端から他側端へ向かって徐々に大きくなる構造や、左右中央部の間隔が左右両側の間隔より大きい構造などであってもよい。
【００６２】
上記実施例では、固定刃ホルダー１８に、洗浄水窓２８及びシャッター２９が設けられていたが、これに限定されるものではない。例えば、本体ケース１の前側の上端を上方に延出するとともに枠状に形成し、この枠により形成される開口を洗浄水窓２８とすることができる。そしてこの洗浄水窓２８を開閉するシャッター２９も、本体ケース１側に上下方向にスライド可能に設ける。このとき、上記枠における下枠の下方にさらに開口部を形成することにより、閉じ姿勢から開放姿勢に切換えたとき、下枠に覆われていたシャッター２９の一部が露出することになる。さらに、シャッター２９を斜め、かつ下方に向けてスライド移動させて、開放姿勢のとき、下枠の下方に形成された開口部から突出させることができる。こうすることによって、シャッター２９を開放姿勢に切換えた状態においては、シャッター２９の上記一部がかみそりヘッド２の外郭線の外へ突出するので、使用者にシャッター２９を閉じるよう強く促すことができる。
【００６３】
上記実施例では、シャッター２９は剛体で形成されているが、場合によっては、多数の薄肉部或いは関節部を設けて柔軟性を有するシャッター２９とすることができる。
【符号の説明】
【００６４】
１    本体ケース
２    かみそりヘッド
７・５５  可動刃
８・５６  固定刃
２８  洗浄水窓
２９  シャッター
３１  脚片（操作部）
３５  リブ体
３６  段部
３８・６０  スリット穴
３９・５９  リブ壁
４０  長毛導入板
４２  プレート部
４３  コーム体
４４  毛起し部
４６  スリット溝
７０  節度構造
Ｒ    毛屑室
Ｓ    隙間
Ｓ１  開口部
【図１】
2018011709.tif 000003
【図２】
2018011709.tif 000004
【図３】
2018011709.tif 000005
【図４】
2018011709.tif 000006
【図５】
2018011709.tif 000007
【図６】
2018011709.tif 000008
【図７】
2018011709.tif 000009
【図８】
2018011709.tif 000010
【図９】
2018011709.tif 000011
【図１０】
2018011709.tif 000012
【図１１】
2018011709.tif 000013
【図１２】
2018011709.tif 000014